(57)【要約】【課題】手に装着した状態で、マッサージ用の押圧突起によるマッサージと、指先による施術とを、同時に且つ容易に行なうことのできるマッサージ具を提供する。【解決手段】好ましくは柔軟な弾性材料からなる基板１１と基板１１の内側面から下方に突出する複数の押圧突起１２，１３，１４とからなるマッサージ具本体１５と、指が係止されることで、基板１１を掌に沿って配置させる装着支持部１６とを備えるマッサージ具１０であって、基板１１は、好ましくは掌に収まる大きさを備えており、装着支持部１６は、基板１１の周縁部分１１ａから張り出して設けられており、指が係止された際に、指の第１関節が基板１１の下方にくるように係止された指を配置させるようになっている。【選択図】図１
2014004341.tif 000002
【特許請求の範囲】
【請求項１】
基板と該基板の内側面から下方に突出する複数の押圧突起とからなるマッサージ具本体と、指が係止されることで、前記基板を掌に沿って配置させる装着支持部とを備えるマッサージ具であって、
前記装着支持部は、前記基板の周縁部分から張り出して設けられており、指が係止された際に、指の第１関節が前記基板の下方にくるように該指を配置させるマッサージ具。
【請求項２】
前記基板は柔軟な弾性材料からなる請求項１記載のマッサージ具。
【請求項３】
前記柔軟な弾性材料がエラストマー樹脂である請求項２記載のマッサージ具。
【請求項４】
前記基板は、掌に収まるか、又は略収まる大きさを備えている請求項１〜３のいずれか１項記載のマッサージ具。
【請求項５】
前記基板が直径６０ｍｍ〜８０ｍｍの円形の平面視形状を備えている請求項４記載のマッサージ具。
【請求項６】
前記装着支持部は、前記基板の下端面を含む面に沿って前記基板の周縁部分から外側に張り出して設けられた、少なくとも１本の指の内側部分が接触係止される凹状指係止部を備える張出板部からなる請求項１〜５のいずれか１項記載のマッサージ具。
【請求項７】
前記凹状指係止部は、前記張出板部に開口形成された指が挿入される開口穴部における、前記基板側の部分によって形成されている請求項６記載のマッサージ具。
【請求項８】
前記凹状指係止部は、前記開口穴部が複数繋がって形成されている請求項６記載のマッサージ具。
【請求項９】
前記開口穴部に、前記基板と反対側の部分に切込み部が形成されている請求項７記載のマッサージ具。
【請求項１０】
前記凹状指係止部は、基板の周縁部から背向する２方向に向けて張り出して設けられている請求項６記載のマッサージ具。
【請求項１１】
前記凹状指係止部は、前記開口穴部の基板とは反対側の半分以上の部分を削除することで形成されている請求項７記載のマッサージ具。
【請求項１２】
前記指が挿入される開口穴部の形状が、平面視して基板の中心側から外側に向けて縦長な長穴形状である請求項７記載のマッサージ具。
【請求項１３】
前記縦長な長穴形状の開口穴部は、楕円形またはトラック円形状である請求項１２記載のマッサージ具。
【請求項１４】
前記装着支持部は、前記基板の周縁部分から上方に張り出すことで立設して設けられた、少なくとも１本の指が挿入されて係止される環状指係止部からなる請求項１記載のマッサージ具。
【請求項１５】
前記装着支持部は、前記基板の周縁部分より上方に張り出すことで立設して設けられた、指と指との間の指股部に挟み込まれて係止される挟込み把持部からなる請求項１記載のマッサージ具。
【請求項１６】
前記挟込み把持部の上端部から外方に張り出して、指掛けつば部が設けられている請求項１５記載のマッサージ具。
【請求項１７】
前記基板は、湾曲するドーム形状を備えている請求項１〜１６のいずれか１項記載のマッサージ具。
【請求項１８】
前記基板の中央部分の内側面から下方に突出して、中央部押圧突起が設けられている請求項１〜１７のいずれか１項記載のマッサージ具。
【請求項１９】
前記中央部押圧突起が、複数設けられている請求項１８記載のマッサージ具。
【請求項２０】
複数の前記中央部押圧突起が、これらの基端側部分において連結リブを介して一体として連結されている請求項１９記載のマッサージ具。
【請求項２１】
請求項１記載のマッサージ具を手に装着して使用する、マッサージ具の使用方法であって、下記の工程を含むマッサージ具の使用方法。
塗布剤を身体に塗布する工程、
手に前記マッサージ具を装着する工程、
前記基板を掌で身体に向けて押圧とその解除を繰り返すマッサージ工程。
【請求項２２】
請求項１記載のマッサージ具を手に装着して使用する、マッサージ具の使用方法であって、下記の工程を含むマッサージ具の使用方法。
塗布剤を身体に塗布する工程、
手に前記マッサージ具を装着する工程、
前記基板を掌で身体に向けて押圧しながら身体表面に沿って移動させるマッサージ工程。
【請求項２３】
請求項１記載のマッサージ具を手に装着して使用する、マッサージ具の使用方法であって、下記の工程を含むマッサージ具セットの使用方法。
塗布剤を身体に塗布する工程、
手に前記マッサージ具を装着する工程、
当該マッサージ具の押圧突起を身体に叩くように接触させるマッサージ工程。
【請求項２４】
前記マッサージ工程と同時に、指で頭部のマッサージ又は洗髪を行う、請求項２１〜２３のいずれか１項記載のマッサージ具の使用方法。
【請求項２５】
請求項１記載のマッサージ具を両手に装着して使用する、マッサージ具セットの使用方法であって、下記の工程を含むマッサージ具セットの使用方法。
塗布剤を身体に塗布する工程、
両手に前記各々のマッサージ具を装着する工程、
前記基板を掌で身体に向けて押圧とその解除を繰り返すマッサージ工程。
【請求項２６】
請求項１記載のマッサージ具を両手に装着して使用する、マッサージ具セットの使用方法であって、下記の工程を含むマッサージ具セットの使用方法。
塗布剤を身体に塗布する工程、
両手に前記各々のマッサージ具を装着する工程、
前記基板を掌で身体に向けて押圧しながら身体表面に沿って移動させるマッサージ工程。
【請求項２７】
請求項１記載のマッサージ具を両手に装着して使用する、マッサージ具セットの使用方法であって、下記の工程を含むマッサージ具セットの使用方法。
塗布剤を身体に塗布する工程、
両手に前記各々のマッサージ具を装着する工程、
当該マッサージ具の押圧突起を身体に叩くように接触させるマッサージ工程。
【請求項２８】
前記マッサージ工程と同時に、指で頭部のマッサージ又は洗髪を行う、請求項２５〜２７のいずれか１項記載のマッサージ具セットの使用方法。
【請求項２９】
前記マッサージ工程において、各々のマッサージ具を身体の両側から身体に接触させてマッサージを行う、請求項２５〜２８のいずれか１項記載のマッサージ具セットの使用方法。
【発明の詳細な説明】
【技術分野】
【０００１】
本発明は、マッサージ具に関し、特に、基板と、該基板の内側面から下方に突出する複数の押圧突起とからなるマッサージ具本体を備えるマッサージ具に関する。
【背景技術】
【０００２】
身体の四肢やその他の部位に対するマッサージ方法として、一般に圧迫法（身体を押すマッサージ方法）、強擦法（身体を擦るマッサージ方法）、揉捏法（身体を揉むマッサージ方法）、軽擦法（身体を撫でるマッサージ方法）、打突法（身体を叩くマッサージ方法）等が知られており、これらは、例えば身体の皮膚に指を押し当てて、圧迫したり、擦り付けたり、揉み解したりすることで、例えば血液の流れを促進して、疲労の回復や予防を図るものである。
【０００３】
また特に、身体の頭部には、多くのツボが存在していることから、頭皮をマッサージすることで、疲労した脳や目に刺激を与えて、疲労を回復させたりリラックス感を与えたりすることが可能になる。
【０００４】
頭皮や、身体のその他の部位に対するマッサージは、指先で行われることが多いが、例えば整髪や洗髪を行う際に、これらの整髪や洗髪と同時に頭部へのマッサージ効果を得ることが可能なヘアブラシ等が知られている（例えば、特許文献１、特許文献２、特許文献３参照）。特許文献１のヘアブラシは、把持片を備える曲面状に湾曲する扁平な椀状の基板の下面に、多数のブラシ突起を突設させたものである。特許文献２の洗浄用ブラシは、片面側にくし状突起を一様に並立させた掌大の大きさの可撓性を有する合成樹脂製板の周縁部分に沿って、半円状の輪郭部切り裂きを設けることで、この輪郭部切り裂きに指を通して掌に装着できるようにすると共に、くし状突起を避けた位置に、周縁部分には達しない長さの屈折用切り裂きを複数条平行に設けることで、合成樹脂製板を変形し易くしたものである。特許文献３の頭皮頭髪用ブラシは、ブラシ台の表面にブリッスルが設けられ、裏面には指掛けバンドが設けられたブラシ部を有し、使用する際に指を指掛けバンドの中を通して指の腹をブラシ台に接触させるものである。
【先行技術文献】
【特許文献】
【０００５】
【特許文献１】実開昭５５−２７４２２号公報
【特許文献２】実開昭６０−２２９３２号公報
【特許文献３】特開２００９−１８９６４０号公報
【発明の概要】
【発明が解決しようとする課題】
【０００６】
しかしながら、特許文献１、特許文献２及び特許文献３のヘアブラシ等は、ブラシ突起やくし状突起の先端を頭皮やその他の部位に押し付けたり擦り付けたりすることで、これらのブラシによってマッサージを行いながら整髪や洗髪を行うことは可能であるが、これらを手に装着した状態では、特に人差し指、中指、及び薬指の指先を頭皮等に接触させた状態で自由に動かすことはできないため、例えばマッサージ用の押圧突起で頭皮やその他の部位をマッサージしながら、これと同時に指先でも洗髪やマッサージを行うが如く、マッサージ用の押圧突起によるマッサージと、指先による施術とを、同時に行えるようにすることは困難である。特に特許文献２の洗浄用ブラシや特許文献３の頭皮頭髪用ブラシは、輪郭部切り裂きや指掛けバンドに指を通して使用するため、手の大きさの大小により、ブラシの操作がしにくくなる場合がある。またマッサージ用の押圧突起によるマッサージと、指先による施術とを、同時に行えるようにすることで、マッサージ具の利便性が効果的に向上するものと考えられる。
【０００７】
本発明は、手に装着した時に、指先を頭皮等に接触させた状態で自由に動かせるようにすることで、マッサージ用の押圧突起によるマッサージと、指先による施術とを、同時に且つ容易に行なうことのできるマッサージ具を提供することを目的とする。
【課題を解決するための手段】
【０００８】
本発明は、基板と該基板の内側面から下方に突出する複数の押圧突起とからなるマッサージ具本体と、指が係止されることで、前記基板を掌に沿って配置させる装着支持部とを備えるマッサージ具であって、前記装着支持部は、前記基板の周縁部分から張り出して設けられており、指が係止された際に、指の第１関節が前記基板の下方にくるように該指を配置させるマッサージ具を提供することにより、上記目的を達成したものである。
【０００９】
なお、本願明細書、特許請求の範囲において、「からなる」の文言は、他の部材や部分が付加されることを排除する意味ではなく、適宜他の部材や部分が付加されても良い。
【００１０】
また、本発明のマッサージ具は、治療目的に使用されるものではない。
【発明の効果】
【００１１】
本発明のマッサージ具によれば、手に装着した時に、指先を頭皮等に接触させた状態で自由に動かすことができ、マッサージ用の押圧突起によるマッサージと、指先による施術とを、同時に且つ容易に行なうことができる。
【図面の簡単な説明】
【００１２】
【図１】本発明の好ましい一実施形態に係るマッサージ具を斜め上方から見た斜視図である。
【図２】（ａ）は本発明の好ましい一実施形態に係るマッサージ具を斜め下方から見た斜視図、（ｂ）は下面図である。
【図３】本発明の好ましい一実施形態に係るマッサージ具の、図１のＡ方向から見た正面図である。
【図４】本発明の好ましい一実施形態に係るマッサージ具を手に装着する状態を説明する正面図である。
【図５】（ａ）、（ｂ）は、本発明の好ましい一実施形態に係るマッサージ具の使用状態の説明図である。
【図６】中間部頭皮圧迫用押圧突起の（ａ）は正面図、（ｂ）は上面図である。
【図７】中央部円錐台状押圧突起の正面図である。
【図８】中央部円錐台状押圧突起の（ａ）は斜視図、（ｂ）は上面図である。
【図９】（ａ）、（ｂ）は、基板を掌で押圧した際の、各押圧突起の弾性変形によるマッサージの様子を説明する略示断面図である。
【図１０】本発明の好ましい他の実施形態に係るマッサージ具の斜視図である。
【図１１】本発明の好ましい他の実施形態に係るマッサージ具の斜視図である。
【図１２】本発明の好ましい他の実施形態に係るマッサージ具の斜視図である。
【図１３】本発明の好ましい他の実施形態に係るマッサージ具の斜視図である。
【図１４】本発明の好ましい他の実施形態に係るマッサージ具の斜視図である。
【図１５】本発明の好ましい他の実施形態に係るマッサージ具の斜視図である。
【図１６】本発明の好ましい他の実施形態に係るマッサージ具の斜視図である。
【図１７】本発明の好ましい他の実施形態に係るマッサージ具の斜視図である。
【図１８】本発明の好ましい他の実施形態に係るマッサージ具の斜視図（図２（ａ）相当図）である。
【発明を実施するための形態】
【００１３】
図１〜図３に示す本発明の好ましい一実施形態に係るマッサージ具１０は、例えば洗髪をする際に（図５（ａ）、（ｂ）参照）、手に装着した状態で、頭皮のマッサージを行いながら、好ましくは５本の指の指先を自由に動かして、毛髪や頭皮を、通常の洗髪と同様の、指先による施術によって効率良く洗うことができるようにするものである。
【００１４】
本実施形態のマッサージ具１０は、柔軟な弾性材料からなる基板１１と基板１１の内側面から下方に突出する複数の押圧突起１２，１３，１４とからなるマッサージ具本体１５と、指が係止されることで、基板１１を掌に沿って配置させる装着支持部１６とを備えるマッサージ具であって、基板１１は、掌に収まるか、又は略収まる大きさを備えており、装着支持部１６は、基板１１の周縁部分１１ａから外側（本実施形態では基板１１の径方向外側）に張り出して設けられており、指が係止された際に、指の第１関節（指先側の最初の関節）が基板１１の下方にくるように、係止された指を配置させるようになっている。
【００１５】
また、本実施形態では、装着支持部１６は、例えば基板１１の下端面を含む面Ｐ（基板１１の下端面を通る平坦な面、図３参照）に沿って、基板１１の周縁部分１１ａから外側に張り出して設けられた、少なくとも１本の指（本実施形態では３本）の内側部分が接触係止される凹状指係止部１７を備える張出板部１８からなる。凹状指係止部１７は、好ましくは張出板部１８に上下方向に貫通して開口形成された、指が挿入される開口穴部１９における、基板１１側の部分１９ａによって形成されている。すなわち、凹状指係止部１７は、基板１１の中心側に凹んだ、開口穴部１９の開口内周部分１９ａによって形成されている。ここで、開口穴部１９における基板１１の中心側に凹んだ開口内周部分１９ａは、開口穴部１９の内周面に設けられる部分であり、マッサージ具本体１５の基板１１の外側面を掌に沿わせてマッサージ具１０を手に装着する際に、開口穴部１９に挿入された指を基板１１の中心側に折り曲げることで、指の内側の第１関節よりも指股部側の部分が押し付けられる、基板１１の中心側に凹状に窪んだ部分である。
【００１６】
本実施形態では、マッサージ具１０は、柔軟な弾性材料として、例えばスチレン系、ポリエステル系、オレフィン系、ウレタン系等のエラストマー樹脂やゴム等を用いて、好ましくはマッサージ具本体１５を構成する基板１１及び複数の押圧突起１２，１３，１４と、装着支持部１６を構成する張出板部１８とを一体成形することにより形成されている。これによって基板１１は、柔軟な弾性材料からなる。基板１１が柔軟な弾性材料からなっていることにより、曲面形状を備える頭皮に沿わせるように当該基板１１を容易に撓ませながら、複数の押圧突起１２，１３，１４によって効率良く頭皮を押圧させることが可能になる。
【００１７】
ここで、基板１１を形成する柔軟な弾性材料は、手の握力等によって容易に弾性変形できる程度の弾力性を備える弾性材料であり、例えば５〜５０Ｍｐａの弾力性を備える弾性材料である。また、柔軟な弾性材料は、１０〜４０Ｍｐａの弾力性を備えていることが好ましく、１３〜３５Ｍｐａの弾力性を備えていることが更に好ましく、１５〜３０Ｍｐａの弾力性を備えていることが特に好ましい。
【００１８】
本実施形態では、基板１１は、掌に収まるか、又は略収まる大きさ及び形状として、例えば直径が６０〜８０ｍｍ程度の円形の平面視形状を備える。基板１１は、例えば２〜６ｍｍ程度の肉厚を有すると共に、周縁部分１１ａを除いて、例えば３０〜３００ｍｍ程度の曲率半径で上方に湾曲するドーム形状を備える。これらによって、マッサージ具１０を手に装着した際に、基板１１の外周面に掌をフィットさせ易くして、掌の動きを当該基板１１や複数の押圧突起１２，１３，１４に効率良く伝達させることが可能になる。また後述のように、柔軟な弾性材料で形成されたドーム形状の基板１１を、掌で身体の頭部等に向けて力を加えたり弱めたりするだけで、基板１１と押圧突起１２，１３，１４が弾性変形し、頭皮等に対して揉捏法（身体を揉むマッサージ方法）によるマッサージや圧迫法（身体を押すマッサージ方法）によるマッサージを施すことが可能になる。
【００１９】
基板１１の周縁部分１１ａは、ドーム形状部分１１ｂの下端部から例えば１〜１０ｍｍの幅で径方向外側に環状に張り出して設けられた、つば状張出し部となっている。周縁部分（つば状張出し部）１１ａの下面は、円環帯状に延設して、基板１１の下端面を形成している。本実施形態では、基板１１の下端面を含む面Ｐ（図３参照）に沿うようにして、後述する凹状指係止部１７を備える張出板部１８が、装着支持部１６として、つば状張出し部となっている周縁部分１１ａの略半円環帯状部分から径方向外側に連続して、片側に張り出して設けられている。
【００２０】
基板１１の内側面から下方に突出して、基板１１と共にマッサージ具本体１５を構成する複数の押圧突起１２，１３，１４は、本実施形態では、外縁部円錐状押圧突起１２と、中間部頭皮圧迫用押圧突起１３と、中央部円錐台状押圧突起１４とからなる。
【００２１】
外縁部円錐状押圧突起１２は、主として頭皮を刺激する機能を備える突起であって、基板１１のドーム形状部分１１ｂの内側周縁部分に沿って、周方向に所定の等角度ピッチで複数（本実施形態では８体）設けられている。外縁部円錐状押圧突起１２は、円錐形状を備えると共に、その先端が球状に面取りされている。
【００２２】
中間部頭皮圧迫用押圧突起１３は、主として頭皮を圧迫して、指圧のように頭部のツボを刺激する機能を備える突起であって、先端部分１３ａを半球状に丸めた円柱状の形態を有している。中間部頭皮圧迫用押圧突起１３は、外縁部円錐状押圧突起１２よりも基板１１の中心側に配置されると共に、周方向に、外縁部円錐状押圧突起１２と同様の所定の等角度ピッチで複数（本実施形態では８体）設けられている。中間部頭皮圧迫用押圧突起１３は、隣接する一対の外縁部円錐状押圧突起１２の間の周方向中央部分に設けられて、周方向に、外縁部円錐状押圧突起１２と交互に配置される。中間部頭皮圧迫用押圧突起１３は、根元部分や、高さ方向中央部分等における横断面の面積が、外縁部円錐状押圧突起１２の横断面の面積よりも大きくなっていて、外縁部円錐状押圧突起１２よりも曲がりにくく形成されている。
【００２３】
また、中間部頭皮圧迫用押圧突起１３は、図６（ａ）、（ｂ）に示すように、半球状の先端部分１３ａに隣接する部位の直径Ｌ２（又は円相当径）が、根元部における直径Ｌ１（又は円相当径）の５０％超であることが好ましく、より好ましくは６０％以上１００％未満、更に好ましくは７０％以上１００％未満であり、一層好ましくは７０％以上９９％以下である。すなわち、頭皮圧迫用押圧突起１３は、半球状の先端部分１３ａに隣接する部位の直径Ｌ２（又は円相当径）が、根元部における直径Ｌ１（又は円相当径）より小さいことが好ましい。半球状の先端部分１３ａに隣接する部位の直径Ｌ２（又は円相当径）と、根元部における直径Ｌ１（又は円相当径）との比の上限を１００％未満にすることで、頭皮圧迫用押圧突起１３を成形する際に金型からの分離がしやすくなる。
【００２４】
中央部円錐台状押圧突起１４は、主として毛根やツボなどを刺激する機能を備える突起であって、図２（ａ）、（ｂ）に示すように、基板１１のドーム形状部分１１ｂの中央部分の内側面から下方に突出して、中央部押圧突起を形成している。中央部円錐台状押圧突起（中央部押圧突起）１４は、本実施形態では、好ましくは複数（本実施形態では４体）設けられており、これらの４体の中央部円錐台状押圧突起１４は、好ましくは基端側部分において連結リブ２０を介して一体として連結されている。すなわち、４体の中央部円錐台状押圧突起１４は、ドーム形状部分１１ｂの中央部分において、一辺の長さが例えば８〜２２ｍｍ程度の仮想の正方形の角部分に各々配置されて、外縁部円錐状押圧突起１２や中間部頭皮圧迫用押圧突起１３よりも低い高さとして、好ましくはマッサージ具１０の非使用時には基板１１の下端面を超えない高さで、下方に突出して設けられている。４体の中央部円錐台状押圧突起１４は、これらの基端側部分において、当該基端側部分の側面中央部分を貫通するようにして円環状に延設すると共に、基板１１の内側面から連続して下方に突出する円環リング形状の連結リブ２０を介して、一体として連結されている。
【００２５】
複数（４体）の中央部円錐台状押圧突起（中央部押圧突起）１４が、これらの基端側部分において連結リブ２０を介して一体として連結されていることにより、例えば図９（ａ）、（ｂ）に示すように、押圧力を最も負荷させ易い部分である基板１１の中央部分を変形させつつ、掌によって下方に強く押し込むように押圧し、中央部押圧突起１４によって頭皮を直接押圧する際に、連結リブで連結されていない場合には、負荷された強い押圧力によって中央部押圧突起１４が外側に斜めに押し広げられ易くなるのに対して（図９（ｂ）参照）、このように中央部押圧突起１４が外側に押し広げられるのを、基端側部分を連結する連結リブ２０に作用によって効果的に抑制することが可能になる（図９（ａ）参照）。これによって、中央部押圧突起１４が頭皮に対して略垂直な方向から当たるようにすることが可能になって、中央部押圧突起１４による圧迫法（身体を押すマッサージ方法）によるマッサージ効果を、さらに向上させることが可能になる。なお、中央部押圧突起１４以外の押圧突起１２，１３は、柔軟な弾性材料で形成されたドーム形状の基板１１を、掌で頭部に向けて力を加えたり弱めたりして、押圧とその解除を繰り返すだけで、基板１１と押圧突起１２，１３が弾性変形し、頭皮に対して揉捏法（身体を揉むマッサージ方法）によるマッサージを容易に施すことができる（図９（ａ）参照）。
【００２６】
更に、央部円錐台状押圧突起（中央部押圧突起）１４が、これらの基端側部分において連結リブ２０を介して一体として連結されていない場合には、柔軟な弾性材料で形成されたドーム形状の基板１１を、掌で頭部に向けて力を加えたり弱めたりして、押圧とその解除を繰り返すだけで、基板１１と押圧突起１２，１３，１４が弾性変形し、頭皮に対して揉捏法（身体を揉むマッサージ方法）によるマッサージを容易に施すことができる（図９（ｂ）参照）。
【００２７】
本実施形態では、中央部押圧突起である中央部円錐台状押圧突起１４は、図７及び図８（ａ）、（ｂ）に示すように、円錐台状の基部１４ａと、基部１４ａの先端面に設けられた、第１先端突起１４ｂ及び複数の第２先端突起１４ｃとからなる。第１先端突起１４ｂは、半球状をなし、円錐台状の基部１４ａの先端面の中央部に配置されている。他方、第２先端突起１４ｃは、略半球状をなすが、より詳細には、根元部が円柱状をなし、先端が半球状の凸曲面に形成されている。また、第２先端突起１４ｃは、第１先端突起１４ｂの周囲を囲むように複数形成されている。第１先端突起１４ｂの周囲を囲む第２先端突起１４ｃの数は、例えば３〜１０個程度とすることができ、４〜１０個とすることが好ましく、５〜８個がより好ましい。複数個の第２先端突起１４ｃは、第１先端突起１４ｂの周囲に略等間隔に配置されていることが好ましい。複数個、特に３個以上の第２先端突起１４ｃを、中央部の第１先端突起１４ｂを囲むように設けることで、マッサージ具１０を使用する際の当該マッサージ具１０の移動方向によらずに、頭皮を効率良く且つ効果的にマッサージすることが可能になる。
【００２８】
また、第２先端突起１４ｃは、根元部の太さｄ２が、第１先端突起１４ｂの根元部の太さｄ１よりも小さくなっている（図８（ｂ）参照）。先端突起１４ｂ，１４ｃの太さｄ１，ｄ２は、根元部における断面形状が円形の場合はその直径を、円形以外の場合は断面２次半径の２倍を意味する。第２先端突起１４ｃは、第１先端突起１４ｂの周囲に、互いに隣接する第２先端突起１４ｃ同士間の根元部における間隔Ｓ３を０．３〜２ｍｍ、頂部における間隔Ｓ４を１〜３ｍｍとして配置されていることが好ましい。
【００２９】
第１先端突起１４ｂは、基部１４ａの先端面からの突出高さｈ６と、根元部における太さ（直径）ｄ１との比（ｈ６／ｄ１）が０．３〜０．８５となっていることが好ましく、０．５〜０．７５となっていることがさらに好ましい（図７、図８（ｂ）参照）。また、第２先端突起１４ｃは、基部１４ａの先端面からの突出高さｈ６と、根元部における太さ（直径）ｄ２との比（ｈ６／ｄ２）が０．５〜２となっていることが好ましく、０．７〜１．５となっていることがさらに好ましい。
【００３０】
そして、本実施形態では、図１及び図２（ａ）、（ｂ）に示すように、マッサージ具本体１５の基板１１の、つば状張出し部分による周縁部分１１ａから外側に張り出して、凹状指係止部１７を備える張出板部１８が、装着支持部１６として連続して設けられている。すなわち、本実施形態では、張出板部１８は、基板１１のつば状張出し部分による周縁部分１１ａの略半円環帯状部分から、基板１１の直径よりも広い例えば６５〜１００ｍｍ程度の幅で、例えば１５〜４５ｍｍ程度の張り出し長さで一方向（片側）に、径方向外側に張り出して設けられている。また張出板部１８は、基板１１の周縁部分１１ａによる下端面を含む面Ｐに沿うように延設している。張出板部１８には、好ましくは人差し指、中指、及び薬指を挿入させて係止させることが可能な、例えば１８〜３５ｍｍ程度の内径を有する開口穴部１９が、３箇所に並んで開口形成されている。また、開口穴部１９における基板１１の中心側に凹んだ開口内周部分１９ａが、好ましくは人差し指や中指や薬指の内側部分を接触係止させる凹状指係止部１７となっている。
【００３１】
開口穴部１９の形状は、指を挿入しやすくする観点、使用時に指先を自由に動かせることができる観点等から、平面視して基板の中心側から外側に向けて縦長な長穴形状が好ましい。本願明細書で長穴形状とは、楕円形状や陸上用トラックのような、トラック円形状等を含むものとする。また、平面視して基板の中心側から外側に向けて縦長な長穴形状とは、長穴の長軸方向が、平面視して基板の中心側から外側に向かった方向であり、短軸方向が該長軸方向に対して直角に交わる方向である長穴形状を意味する。長穴形状の各寸法は、例えば日本人の成人男性（２０〜６９歳）の中指の第２関節付近の幅の平均的な値（２０ｍｍ）、同位置の平均的な厚みの値（２０．２ｍｍ）を使用した場合、当該開口穴部への指の挿入しやすさの観点、使用時に指先を自由に動かせることができる観点、指位置を穴に固定しやすくする観点から、長軸径を２４〜３２ｍｍ、短軸径を２３〜２５ｍｍ程度にすることが好ましい。
【００３２】
マッサージ具本体１５の基板１１の外側面を掌に沿わせてマッサージ具１０を手に装着する際に、これらの凹状指係止部１７に対して、指を内側に折り曲げる方向の力を軽く加えることにより、例えば中央部分の開口穴部１９に挿入した中指の内側の第１関節よりも指股部側の部分を、凹状指係止部１７に軽く押し付けることで、中指の内側部分における第１関節よりも指股部側の指腹部分を、凹状指係止部１７の凹形状に沿って軽く食い込ませるように接触させることにより、中指を基板１１に容易に係止することが可能になる。また、例えば中央部分の開口穴部１９を挟んだ両側の開口穴部１９に各々挿入した、人差し指や薬指の内側の第１関節よりも指股部側の部分を、凹状指係止部１７に各々軽く押し付けることで、人指し指や薬指の内側部分における第１関節よりも指股部側の指腹部分を、凹状指係止部１７の凹形状に沿って軽く食い込ませるように各々接触させることにより、人指し指や薬指を基板１１に容易に係止することが可能になる。
【００３３】
本実施形態では、凹状指係止部１７は、開口縁部によって周囲を囲まれた開口穴部１９の、基板１１の中心側に凹んだ開口内周部分１９ａとして形成されているので、中指や人指し指や薬指を凹状指係止部１７に押し付ける力を開放しても、例えば中指や人指し指や薬指の背面側を開口穴部１９の開口縁部に引っ掛けた状態とすることにより（図４参照）、マッサージ具１０が手から脱落しないように保持することが可能になる。
【００３４】
そして、上述の構成を備えるマッサージ具１０を用いて、頭皮のマッサージを行いながら洗髪するには、好ましくは左右両方の手に、一対のマッサージ具１０（マッサージ具セット１０’）を各々装着する（図５（ａ）、（ｂ）参照）。マッサージ具１０を手に装着するには、例えば図４に示すように、マッサージ具本体１５の基板１１の外側面を掌に沿わせると共に、好ましくは人指し指と中指と薬指とを、張出板部１８に形成された３箇所の開口穴部１９に各々挿入する。この状態から、各々の指を内側に折り曲げて、人指し指と中指と薬指の内側の第１関節よりも指股部側の部分を、各凹状指係止部１７に接触させた後に、さらに指を内側に折り曲げる方向の力を軽く加えることで、各々の指の内側部分における第１関節よりも指股部側の指腹部分を、凹状指係止部１７に軽く押し付けながら凹形状に沿って接触させて、人指し指と中指と薬指とを、基板１１に係止させる。
【００３５】
また、例えば図４に示す状態から、親指を内側に折り曲げて、親指の内側の第１関節よりも指股部側の部分を、基板１１の周縁部分１１ａから外側に張り出す張出板部１８の張り出し開始部分の、凹状に湾曲する一方の側縁部１８ａに接触させた後に、さらに親指を内側に折り曲げる方向の力を軽く加えることで、親指の内側部分における第１関節よりも指股部側の指腹部分を、当該一方の側縁部１８ａに軽く押し付けることで凹形状に沿って接触させて、親指を基板１１に容易に係止させることができる。さらに、例えば図４に示す状態から、子指を内側に折り曲げて、子指の内側の第１関節よりも指股部側の部分を、基板１１の周縁部分１１ａから外側に張り出す張出板部１８の張り出し開始部分の、凹状に湾曲する他方の側縁部１８ｂに接触させた後に、さらに子指を内側に折り曲げる方向の力を軽く加えることで、子指の内側部分における第１関節よりも指股部側の指腹部分を、当該他方の側縁部１８ｂに軽く押し付けることで凹形状に沿って接触させて、小指を基板１１に容易に係止させることができる。
【００３６】
これらによって、マッサージ具１０を、基板１１の外側面を掌に沿って配置させると共に、凹状指係止部１７に係止された各々の指の第１関節が基板１１の下方にくるように５本の指を配置させて、軽い僅かな力によって、安定した状態で、左右の手に容易に装着させることが可能になる。
【００３７】
本実施形態では、例えば洗髪をする際には、図５（ａ）、（ｂ）に示すように、例えばシャンプー剤等の洗浄剤又はマッサージ剤等（以下、塗布剤とする）を塗布して、マッサージ具１０を装着していない手で頭皮と髪全体を仮洗いした後に、上述のように両手に各々のマッサージ具１０（マッサージ具セット１０’）を装着してから、第１関節が基板１１の下方にくるよう配置された好ましくは５本の指の指先を自由に動かして、通常の洗髪と同様の洗髪やマッサージなどの施術を行いながら、基板１１の内側面から複数の押圧突起１２，１３，１４を突出させたマッサージ具本体１５によるマッサージを、容易に行うことが可能になる。例えば、身体の一部である頭部の左右両側から、各々のマッサージ具１０の外縁部円錐状押圧突起１２や中間部頭皮圧迫用押圧突起１３を頭皮に当てたまま、心地良い刺激を感じるくらいの強さまで基板１１を掌で押圧した後、押圧を解除し、その動作を繰り返しながら、頭の全体に行き渡るように、マッサージ具本体１５によって頭皮をマッサージ（圧迫法マッサージ、揉捏法マッサージ等）することが可能になる。また、例えば、中央部円錐台状押圧突起１４が頭皮で感じられるくらいの強さまで基板１１を掌で押し込んで、押圧突起１２，１３，１４を頭皮に押し当てながら、マッサージ具１０を円を描くように頭部表面に沿って動かすことで、頭の全体をほぐすようにして頭皮をマッサージすることが可能になる（圧迫法マッサージ、強擦法マッサージ、軽擦法マッサージ等）。また、例えばマッサージ具１０の押圧突起１２，１３を頭皮に叩くように接触させながら頭の全体に行き渡るようにして、マッサージ具本体１５によって頭皮をマッサージ（打突法マッサージ等）することが可能になる。
【００３８】
また、髪全体に塗布剤を塗布した後に、シャワー等によってすすぐ際には、マッサージ具１０を手に装着した状態でも好ましくは５本の指の指先を自由に動かすことができるので、マッサージ具１０を手に装着したまま、通常のすすぎと同様に、指先の施術によってすすぎ残しがないように髪全体を充分にすすぐことが可能になると共に、すすぎ中もマッサージ具１０によるマッサージを行うことが可能になる。
【００３９】
したがって、本実施形態のマッサージ具１０によれば、手に装着した際に、すなわち、装着支持部１６に指を係止して基板１１を掌に沿わせると共に、指の第１関節が基板１１の下方にくるように該指を配置した際に、好ましくは親指と小指を加えた５本の指の指先を頭皮等に接触させた状態で自由に動かせるようにすることで、マッサージ用の押圧突起１２，１３，１４によるマッサージと、指先による施術とを、同時に且つ容易に行なうことが可能になる。
【００４０】
また、本実施形態のマッサージ具１０によれば、両手に装着した状態で使用する場合には、身体たる頭部の左右両側から頭皮を効果的に押圧等でき、より良いマッサージ効果を得ることができる。
【００４１】
図１０は、本発明の他の実施形態に係るマッサージ具２１を例示するものである。図１０に示すマッサージ具２１は、上記実施形態のマッサージ具１０と略同様の構成を備えているが、装着支持部１６となる張出板部２２の形状が相違している。なお、図１０に示すマッサージ具２１及び後述する他の実施形態のマッサージ具においては、上記実施形態のマッサージ具１０との相違点について主に説明し、同様の点については同一の符号を付して説明を省略する。特に説明しない点については、上述したマッサージ具１０についての説明（より好ましい構成の説明も含む）が適宜適用される。
【００４２】
図１０に示すマッサージ具２１では、張出板部２２に、上記実施形態のマッサージ具１０における３箇所の開口穴部１９が繋がった状態の開口穴部２３が形成されている。この開口穴部２３の基板１１側の部分に（本他の実施形態では基板１１の中心側に凹んだ開口内周部分に）、３箇所の凹状指係止部１７が、並んで形成されている。これらの凹状指係止部１７に、好ましくは人指し指や中指や薬指の内側部分を接触係止させることで、図１０に示すマッサージ具２１は、上記実施形態のマッサージ具１０と略同様の作用効果を奏する。
【００４３】
図１１もまた、本発明の他の実施形態に係るマッサージ具２４を例示するものである。図１１に示すマッサージ具２４では、装着支持部１６となる張出板部２５の形状が、上記実施形態のマッサージ具１０のものと相違している。すなわち、図１１に示すマッサージ具２４では、張出板部２５に、上記実施形態のマッサージ具１０における３箇所の開口穴部１９と略同様の形状の開口穴部１９’が設けられているが、各々の開口穴部１９’の基板１１とは反対側の部分に、切込み部２６が形成されていることで、各々の開口穴部１９’の開口縁部が分断された状態となっている。
【００４４】
図１１に示すマッサージ具２４では、開口穴部１９’における基板１１側の部分１９ａ’によって形成された凹状指係止部１７に、好ましくは人指し指や中指や薬指の内側部分を接触係止させることで、上記実施形態のマッサージ具１０と略同様の作用効果が奏される。また、開口穴部１９’の開口縁部が切込み部２６によって分断された状態となっているので、この切込み部２６を挟んだ両側部分を弾性変形させながら、当該切込み部２６を介して、基板１１とは反対側から開口穴部１９’に指を挿入したり、指を抜き出したりすることが可能になる。
【００４５】
図１２もまた、本発明の他の実施形態に係るマッサージ具２７を例示するものである。図１２に示すマッサージ具２７では、装着支持部１６となる張出板部２８の形状が、上記実施形態のマッサージ具１０のものと相違している。すなわち、図１２に示すマッサージ具２７では、張出板部２８に開口穴部は設けられておらず、例えば上記実施形態のマッサージ具１０における３箇所の開口穴部１９の、基板１１とは反対側の略半分以上の部分を切除することで、基板１１の中心側に凹んだ弧状の辺部に、３箇所の凹状指係止部１７が並んで形成されている。
【００４６】
図１２に示すマッサージ具２７では、凹状指係止部１７が開口穴部の一部として設けられていないので、指の内側部分を凹状指係止部１７に押し付ける力を開放すると、当該マッサージ具２７を手に保持しておくことはできなくなるが、例えば、親指と子指を内側に折り曲げて、親指と小指の内側の第１関節よりも指股部側の部分を、基板１１の周縁部分１１ａから外側に張り出す張出板部２８の張り出し開始部分の、凹状に湾曲する一方の側縁部２８ａと他方の側縁部２８ｂに各々接触させて、軽く押し付けることで、当該マッサージ具２７を手に保持しておくことができる。そして、凹状指係止部１７に、好ましくは人指し指や中指や薬指の内側部分を軽い力で接触係止させることで、安定した状態で手に装着することができるので、上記実施形態のマッサージ具１０と略同様の作用効果が奏される。
【００４７】
図１３もまた、本発明の他の実施形態に係るマッサージ具２９を例示するものである。図１３に示すマッサージ具２９では、装着支持部１６となる張出板部３０ａ、３０ｂの形状が、上記実施形態のマッサージ具１０のものと相違している。すなわち、図１３に示すマッサージ具２９では、基板１１の周縁部分１１ａから連続して、背向する２方向に向けて外側に張り出して、幅広の第１張出板部３０ａと、幅狭の第２張出板部３０ｂとが設けられている。第１張出板部３０ａには、好ましくは人差し指、中指、薬指、及び小指が挿入される開口穴部１９が、４箇所に開口形成されており、第２張出板部３０ｂには、好ましくは親指が挿入される開口穴部１９が、１箇所に開口形成されている。
【００４８】
図１３に示すマッサージ具２９によっても、各開口穴部１９における基板１１側の部分（本他の実施形態では基板１１の中心側に凹んだ開口内周部分１９ａ）によって形成された凹状指係止部１７に、５本の指の内側部分を各々接触係止させることで、安定した状態で手に装着させて、上記実施形態のマッサージ具１０と略同様の作用効果が奏される。
【００４９】
図１４もまた、本発明の他の実施形態に係るマッサージ具３１を例示するものである。図１４に示すマッサージ具３１は、上記実施形態のマッサージ具１０と略同様の構成を備えているが、装着支持部１６となる張出板部３２の形状が相違している。すなわち、図１４に示すマッサージ具３１では、張出板部３２に、少なくとも３本の指を挿入可能な大きさを備える開口穴部３３が形成されており、この開口穴部３３の両端部の、基板１１側の部分に（本他の実施形態では基板１１の中心側に凹んだ開口内周部分に）、一対の凹状指係止部１７が形成されている。
【００５０】
図１４に示すマッサージ具３１によっても、開口穴部３３に形成された一対の凹状指係止部１７に、好ましくは人差し指と薬指の内側部分を各々接触係止させると共に、他の指の内側部分を張出板部３２の周縁部分や開口穴部３３における一対の凹状指係止部１７の間の開口内周部分に各々接触係止させることで、安定した状態で手に装着させて、上記実施形態のマッサージ具１０と略同様の作用効果が奏される。
【００５１】
図１５もまた、本発明の他の実施形態に係るマッサージ具３４を例示するものである。図１５に示すマッサージ具３４は、上記実施形態のマッサージ具１０と略同様の構成を備えているが、装着支持部１６となる張出板部３５の形状が相違している。すなわち、図１５に示すマッサージ具３４では、張出板部３５に開口穴部１９が１箇所に形成されており、この開口穴部１９の基板１１側の部分（本他の実施形態では基板１１の中心側に凹んだ開口内周部分１９ａ）によって、凹状指係止部１７が形成されている。
【００５２】
図１５に示すマッサージ具３４によっても、開口穴部１９に形成された凹状指係止部１７に、一本の指の内側部分を接触係止させると共に、他の指の内側部分を基板１１の周縁部分１１ａや張出板部３５の周縁部分に各々接触係止させることで、安定した状態で手に装着させて、上記実施形態のマッサージ具１０と同様の作用効果が奏される。
【００５３】
図１６もまた、本発明の他の実施形態に係るマッサージ具３６を例示するものである。図１６に示すマッサージ具３６は、上記実施形態のマッサージ具１０と略同様の構成を備えているが、基板１１の周縁部分１１ａから張り出して設けられた装着支持部１６の形状が相違している。すなわち、図１６に示すマッサージ具３６では、装着支持部１６は、基板１１の周縁部分１１ａから上方に張り出すことで立設して設けられた、少なくとも１本（本他の実施形態では３本）の指が挿入されて係止される、少なくとも１体（本他の実施形態では３体）の環状指係止部３７からなる。
【００５４】
図１６に示すマッサージ具３６によっても、基板１１の周縁部分１１ａから上方に張り出すことで立設して設けられた環状指係止部３７に、指を挿入した状態で、好ましくは５本の指の内側部分を基板１１の周縁部分１１ａに各々接触係止させることで、安定した状態で手に装着させて、上記実施形態のマッサージ具１０と略同様の作用効果が奏される。なお、環状指係止部３７は、指を１本づつ挿入させるものである必要は必ずしも無く、複数本の指を同時に挿入させるものであっても良い。
【００５５】
図１７もまた、本発明の他の実施形態に係るマッサージ具３８を例示するものである。図１７に示すマッサージ具３８は、上記実施形態のマッサージ具１０と略同様の構成を備えているが、基板１１の周縁部分１１ａから外側に張り出して設けられた装着支持部１６の形状が相違している。すなわち、図１７に示すマッサージ具３８では、装着支持部１６は、基板１１の周縁部分１１ａより上方に、詳述すると基板１１の周縁部分１１ａから外側に張り出すと共に、上方に張り出すことで立設して設けられた、指と指との間の指股部に挟み込まれて係止される挟込み把持部３９からなる。
【００５６】
また、図１７に示すマッサージ具３８では、好ましくは、挟込み把持部３９の上端部から外方（本他の実施形態では基板１１の周方向に沿った方向）に張り出して、指掛けつば部４０が設けられている。指掛けつば部４０が設けられていることにより、挟込み把持部３９を把持する指の背側を当該指掛けつば部４０に係止させることで、指の内側部分を基板１１の周縁部分１１ａに押し付ける力を開放しても、マッサージ具１０が手から脱落しないように保持することが可能になる。なお、図１７に示すマッサージ具３８では、挟込み把持部３９は、その横断面形状が張出し方向に縦長となった、厚板状の形状を備えているが、挟込み把持部３９は、厚板状の部分である必要は必ずしも無く、例えば円柱状等の、指股部に挟み込んで把持し易いその他の種々の形状のものを採用することができる。
【００５７】
図１７に示すマッサージ具３８によっても、基板１１の周縁部分１１ａから外側に張り出すと共に、上方に張り出すことで立設して設けられた挟込み把持部３９を、指と指との間の指股部に挟み込んだ状態で、好ましくは５本の指の内側部分を基板１１の周縁部分１１ａに各々接触係止させることで、安定した状態で手に装着させて、上記実施形態のマッサージ具１０と略同様の作用効果が奏される。
【００５８】
なお、本発明は上記各実施形態に限定されることなく種々の変更が可能である。例えば、マッサージ具本体を構成する基板は、湾曲するドーム形状を備えている必要は必ずしもなく、平坦な形状を備えていても良い。基板は、円形の平面形状を備えている必要は必ずしもなく、例えば四角形、多角形、長円形、楕円形等の種々の平面形状を備えていても良い。基板の内側面から下方に突出する複数の押圧突起は、外縁部円錐状押圧突起と、中間部頭皮圧迫用押圧突起と、中央部円錐台状押圧突起とを、上述のように配置したものである必要は必ずしも無く、これらの押圧突起を異なる形態で配置して、マッサージ具本体とすることもできる。外縁部円錐状押圧突起や中間部頭皮圧迫用押圧突起や中央部円錐台状押圧突起とは異なる、公知の各種の形状や材質の押圧突起を組み合わせて、又は単独で用いて、複数の押圧突起を形成することもできる。複数の中央部押圧突起の基端側部分を連結する連結リブは、円環リング形状のものである必要は必ずしもない。
【００５９】
また、図１、図２等の実施形態で示した複数の開口穴部の内径は、同じであっても適宜変化させても良い。更に、図１８に示すよう、図２（ａ）のマッサージ具１０に設けられた外縁部円錐状押圧突起１２に代えて、横断面形状が扁平形状である（図１８では周方向の幅が径方向の幅よりも狭くなっている）、へら状突起（外縁部へら状押圧突起）１２’を設けてもよい。図１８に示すへら状突起１２’は、扁平なへら状の形状を備えると共に、その先端が球面状に面取りされている。
【００６０】
また、図１７で示した本発明の他の実施形態に係るマッサージ具３８の装着支持部１６は、基板１１の周縁部分１１ａから外側に張り出す必要は必ずしもなく、周縁部分１１ａより上方に、詳述すると周縁部分１１ａから直接上方に張り出すことで立設して設けられた、指と指との間の指股部に挟み込まれて係止される挟込み把持部からなっていてもよい。
【００６１】
また、マッサージ具本体は、柔軟な弾性材料以外にも、ポリエチレン、ポリプロピレン等の合成樹脂材料からなっていてもよく、基板の大きさは、掌よりも大きくてもよい。
【００６２】
また、本発明のマッサージ具は、洗髪や整髪を行う際に、頭皮にマッサージ具本体を押し付けて使用する以外にも、身体の四肢やその他の部位にマッサージ具本体を押し付けて、指先を自由に動かして当該指先によるマッサージ等の施術を行いながら、身体の様々な部位に対しても、当該マッサージ具によるマッサージを行うことができる。また、身体に押し付けて使用する圧迫法によるマッサージ以外に、強擦法（身体を擦るマッサージ方法）、揉捏法（身体を揉むマッサージ方法）、軽擦法（身体を撫でるマッサージ方法）、打突法（身体を叩くマッサージ方法）等のマッサージも行うことができる。当然に、本発明のマッサージ具は、片手で使用しても良い。
【００６３】
上述した実施形態に関し、本発明はさらに以下のマッサージ具、マッサージ具の使用方法、及びマッサージ具セットの使用方法を開示する。
【００６４】
＜１＞
基板と該基板の内側面から下方に突出する複数の押圧突起とからなるマッサージ具本体と、指が係止されることで、前記基板を掌に沿って配置させる装着支持部とを備えるマッサージ具であって、
前記装着支持部は、前記基板の周縁部分から張り出して設けられており、指が係止された際に、指の第１関節が前記基板の下方にくるように該指を配置させるマッサージ具。
【００６５】
＜２＞
前記基板は柔軟な弾性材料からなる前記＜１＞に記載のマッサージ具。
【００６６】
＜３＞
前記柔軟な弾性材料がエラストマー樹脂である前記＜２＞に記載のマッサージ具。
【００６７】
＜４＞
前記基板は、掌に収まるか、又は略収まる大きさを備えている前記＜１＞〜＜３＞の何れか１に記載のマッサージ具。
【００６８】
＜５＞
前記基板が直径６０ｍｍ〜８０ｍｍの円形の平面視形状を備えている前記＜４＞に記載のマッサージ具。
【００６９】
＜６＞
前記装着支持部は、前記基板の下端面を含む面に沿って前記基板の周縁部分から外側に張り出して設けられた、少なくとも１本の指の内側部分が接触係止される凹状指係止部を備える張出板部からなる前記＜１＞〜＜５＞のいずれか１に記載のマッサージ具。
【００７０】
＜７＞
前記凹状指係止部は、前記張出板部に開口形成された指が挿入される開口穴部における、前記基板側の部分によって形成されている前記＜６＞に記載のマッサージ具。
【００７１】
＜８＞
前記凹状指係止部は、前記開口穴部が複数繋がって形成されている前記＜６＞に記載のマッサージ具。
【００７２】
＜９＞
前記開口穴部に、前記基板と反対側の部分に切込み部が形成されている前記＜７＞に記載のマッサージ具。
【００７３】
＜１０＞
前記凹状指係止部は、基板の周縁部から背向する２方向に向けて張り出して設けられている前記＜６＞に記載のマッサージ具。
【００７４】
＜１１＞
前記凹状指係止部は、前記開口穴部の基板とは反対側の半分以上の部分を削除することで形成されている前記＜７＞に記載のマッサージ具。
【００７５】
＜１２＞
前記指が挿入される開口穴部の形状が、平面視して基板の中心側から外側に向けて縦長な長穴形状である前記＜７＞に記載のマッサージ具。
【００７６】
＜１３＞
前記縦長な長穴形状の開口穴部は、楕円形またはトラック円形状である前記＜１２＞に記載のマッサージ具。
【００７７】
＜１４＞
前記装着支持部は、前記基板の周縁部分から上方に張り出すことで立設して設けられた、少なくとも１本の指が挿入されて係止される環状指係止部からなる前記＜１＞に記載のマッサージ具。
【００７８】
＜１５＞
前記装着支持部は、前記基板の周縁部分より上方に張り出すことで立設して設けられた、指と指との間の指股部に挟み込まれて係止される挟込み把持部からなる前記＜１＞に記載のマッサージ具。
【００７９】
＜１６＞
前記挟込み把持部の上端部から外方に張り出して、指掛けつば部が設けられている前記＜１５＞に記載のマッサージ具。
【００８０】
＜１７＞
前記基板は、湾曲するドーム形状を備えている前記＜１＞〜＜１６＞のいずれか１に記載のマッサージ具。
【００８１】
＜１８＞
前記基板の中央部分の内側面から下方に突出して、中央部押圧突起が設けられている前記＜１＞〜＜１７＞のいずれか１に記載のマッサージ具。
【００８２】
＜１９＞
前記中央部押圧突起が、複数設けられている前記＜１８＞に記載のマッサージ具。
【００８３】
＜２０＞
複数の前記中央部押圧突起が、これらの基端側部分において連結リブを介して一体として連結されている前記＜１９＞に記載のマッサージ具。
【００８４】
＜２１＞
前記＜１＞に記載のマッサージ具を手に装着して使用する、マッサージ具の使用方法であって、下記の工程を含むマッサージ具の使用方法。
塗布剤を身体に塗布する工程、
手に前記マッサージ具を装着する工程、
前記基板を掌で身体に向けて押圧とその解除を繰り返すマッサージ工程。
【００８５】
＜２２＞
前記＜１＞に記載のマッサージ具を手に装着して使用する、マッサージ具の使用方法であって、下記の工程を含むマッサージ具の使用方法。
塗布剤を身体に塗布する工程、
手に前記マッサージ具を装着する工程、
前記基板を掌で身体に向けて押圧しながら身体表面に沿って移動させるマッサージ工程。
【００８６】
＜２３＞
前記＜１＞に記載のマッサージ具を手に装着して使用する、マッサージ具の使用方法であって、下記の工程を含むマッサージ具セットの使用方法。
塗布剤を身体に塗布する工程、
手に前記マッサージ具を装着する工程、
当該マッサージ具の押圧突起を身体に叩くように接触させるマッサージ工程。
【００８７】
＜２４＞
前記マッサージ工程と同時に、指で頭部のマッサージ又は洗髪を行う、前記＜２１＞〜＜２３＞のいずれか１に記載のマッサージ具の使用方法。
【００８８】
＜２５＞
前記＜１＞に記載のマッサージ具を両手に装着して使用する、マッサージ具セットの使用方法であって、下記の工程を含むマッサージ具セットの使用方法。
塗布剤を身体に塗布する工程、
両手に前記各々のマッサージ具を装着する工程、
前記基板を掌で身体に向けて押圧とその解除を繰り返すマッサージ工程。
【００８９】
＜２６＞
前記＜１＞に記載のマッサージ具を両手に装着して使用する、マッサージ具セットの使用方法であって、下記の工程を含むマッサージ具セットの使用方法。
塗布剤を身体に塗布する工程、
両手に前記各々のマッサージ具を装着する工程、
前記基板を掌で身体に向けて押圧しながら身体表面に沿って移動させるマッサージ工程。
【００９０】
＜２７＞
前記＜１＞に記載のマッサージ具を両手に装着して使用する、マッサージ具セットの使用方法であって、下記の工程を含むマッサージ具セットの使用方法。
塗布剤を身体に塗布する工程、
両手に前記各々のマッサージ具を装着する工程、
当該マッサージ具の押圧突起を身体に叩くように接触させるマッサージ工程。
【００９１】
＜２８＞
前記マッサージ工程と同時に、指で頭部のマッサージ又は洗髪を行う、前記＜２５＞〜＜２７＞のいずれか１に記載のマッサージ具セットの使用方法。
【００９２】
＜２９＞
前記マッサージ工程において、各々のマッサージ具を身体の両側から身体に接触させてマッサージを行う、前記＜２５＞〜＜２８＞のいずれか１に記載のマッサージ具セットの使用方法。
【００９３】
なお当然ながら、上述した各実施形態および複数の変形例は、その内容が相反しない範囲で組み合せることができる。また、上述した各実施形態および変形例では、各部の構造などを具体的に説明したが、その構造などは本願発明を満足する範囲で各種に変更することができる。
【符号の説明】
【００９４】
１０，２１，２４，２７，２９，３１，３４，３６，３８  マッサージ具
１１  基板
１１ａ  周縁部分
１１ｂ  ドーム形状部分
１２  外縁部円錐状押圧突起
１３  中間部頭皮圧迫用押圧突起
１４  中央部円錐台状押圧突起（中央部状押圧突起）
１５  マッサージ具本体
１６  装着支持部
１７  凹状指係止部
１８，２２，２５，２８，３０ａ，３０ｂ，３２，３５  張出板部
１９，１９’，２３，３３  開口穴部
１９ａ  開口穴部における基板の中心側に凹んだ開口内周部分（開口穴部における基板側の部分）
２０  連結リブ
２６  切込み部
３７  環状指係止部
３９  挟込み把持部
４０  指掛けつば部
Ｐ−Ｐ  基板の下端面を含む面
【図１】
2014004341.tif 000003
【図２】
2014004341.tif 000004
【図３】
2014004341.tif 000005
【図４】
2014004341.tif 000006
【図５】
2014004341.tif 000007
【図６】
2014004341.tif 000008
【図７】
2014004341.tif 000009
【図８】
2014004341.tif 000010
【図９】
2014004341.tif 000011
【図１０】
2014004341.tif 000012
【図１１】
2014004341.tif 000013
【図１２】
2014004341.tif 000014
【図１３】
2014004341.tif 000015
【図１４】
2014004341.tif 000016
【図１５】
2014004341.tif 000017
【図１６】
2014004341.tif 000018
【図１７】
2014004341.tif 000019
【図１８】
2014004341.tif 000020